(57)【要約】【課題】ハッチ開口部内に確保しなければならない降下空間の大きさが、巻取り装置により狭くなる問題を解消し、ハッチ開口部の奥行きを従来よりも小さくできるとともに、巻取り装置のハンドル操作を、不安定な姿勢にならずに安全に行える避難梯子用ハッチを提供する。【解決手段】上蓋１０に、レール１９，２０に沿って摺動する摺動台２１を装着し、この摺動台２１とハッチ本体枠１４とを、これらに両端部を回動自在としたリンク２２，２３により連結する。この摺動台２１に巻取り装置１８を取り付ける。ハッチ本体枠１４の内側にワイヤー１７を案内するワイヤー案内部３０を設ける。【選択図】図１
2010022684.tif 000002
【特許請求の範囲】
【請求項１】
避難ハッチのハッチ本体枠に、その上部開口面を開閉する上蓋と、この上蓋の開閉に連動して開閉する下蓋とを、それそれぞれ回動可能に取り付けるとともに、このハッチ本体枠の内側に梯子の基端部を回動可能に支持し、梯子に連結されたワイヤーを巻取り装置で巻き上げたり引き出すことにより、梯子を収縮させてハッチ本体枠内に格納したり、伸長させてハッチ本体枠より降下させる避難梯子用ハッチにおいて、上記上蓋に、その開閉に連動してレールに沿って摺動する摺動台を装着し、この摺動台に上記巻取り装置を取り付けたことを特徴とする避難梯子用ハッチ。
【請求項２】
上記摺動台と上記ハッチ本体枠とを、これらに両端部を回動自在としたリンクにより連結するとともに、ハッチ本体枠の内側に上記ワイヤーを案内するワイヤー案内部を設けた請求項１記載の避難梯子用ハッチ。
【請求項３】
上記リンクを、上記梯子の基端部の支持部である回動中心より上位置において、上記ハッチ本体枠に対し、回動自在に支持するとともに、上記ワイヤー案内部に、上記ハッチ本体に設けたリンクの回動中心と同じ高さでワイヤーを案内する上案内部と、梯子の基端部の回動中心と同じ高さでワイヤーを案内する下案内部とを備えた請求項１記載の避難梯子用ハッチ。
【請求項４】
上記上蓋の下面には、上記レールを、一対平行にして設けるとともに、これらレールによって、上記摺動台の両端部を摺動自在に案内し、その平行なレールのうち、一方のレールは、その一端部を上蓋の下面に回動可能に支持する一方、その他端部を上蓋の下面に着脱可能に固定することにより、上蓋の下面との間に、摺動台の端部を挟んで案内する案内間隙を形成するようにした請求項１〜３のいずれかに記載の避難梯子用ハッチ。
【発明の詳細な説明】
【技術分野】
【０００１】
この発明は、建物の床面の避難ハッチから下層階へ避難するための避難梯子を備えた避難梯子用ハッチに関する。
【背景技術】
【０００２】
従来、避難梯子用ハッチのうち、床面のハッチ開口部に梯子を格納しておくタイプであって、梯子に連結されたワイヤーを巻取り装置で巻き上げたり引き出すことにより、梯子を収縮させてハッチ本体枠内に格納したり、伸長させてハッチ本体枠より下降させる構造のものとして、例えば特許文献１や特許文献２に記載されたものがあった。
【０００３】
図６ないし図８に、このような構造の従来の避難梯子用ハッチを示す。
開口部１を形成するハッチ本体枠２の一側部２ａには、開口部１の上開口面を開閉する上蓋３および下開口面を開閉する下蓋４が回動自在に取り付けられている。また、この一側部２ａの内面には取付台板５が固着され、この取付台板５の中央部に、ワイヤー６を巻き取る巻取り装置７が取り付けられているとともに、取付台板５の両端部に、梯子８の両側枠８ａ，８ｂの基端部が軸部材によって支持され、この軸部材を中心に回動可能にしている。
【０００４】
梯子８は、巻取り装置７でワイヤー６を巻き取ることにより図７に示す伸縮機構８ｃが引き上げられて収縮し、上蓋３および下蓋４を閉じた状態でハッチ本体枠２内に格納される。
一方、上蓋３と同時に下蓋４を開くと、梯子８の両側枠８ａ，８ｂが回動してハッチ本体枠２から下方へ突出し、巻取り装置７からワイヤー６を引き出すと、伸縮機構８ｃが伸長して、梯子８が下がった状態となる。
【特許文献１】特開２００５−４２４８２号公報
【特許文献２】特開２００８−１０１３４０号公報
【特許文献３】実開昭６２−１２２６５６号公報
【発明の開示】
【発明が解決しようとする課題】
【０００５】
ところで、このような床面のハッチ開口部に梯子を格納するタイプでは、ハッチ開口部の大きさのほかに、梯子使用状態でハッチ開口部内に確保しなければならない降下空間の大きさも、消防法施行細則で定める寸法を満たすように規定されている。その規定によれば、降下空間の大きさは「直径０．５メートル以上の円が内接することができるものであること」とされている。
【０００６】
ところが、上記のような従来構造では、巻取り装置７がハッチ本体枠２の内側に取り付けられているため、巻取り装置７の占有部分（およそ１００ｍｍの厚み）だけ降下空間が狭くなる。そのため、図８に示すように、直径０．５メートル（５００ｍｍ）以上の円が内接する降下空間を確保するには、ハッチ開口部の奥行きを６００ｍｍ以上にしなければならなくなり、その結果、ハッチ本体枠２の外寸法も大きくなり、奥行きの狭いバルコニーには避難ハッチの設置が困難な場合もあった。
【０００７】
また、巻取り装置７が、上蓋３の取り付け位置より下方においてハッチ本体枠２の内側に取り付けられているため、上蓋３を開いて巻取り装置７を操作する際に、起立している上蓋３を避けながら、ハッチ本体枠２の内部まで前屈みで手を伸ばさなければならず、不安定な姿勢での操作となって危険であった。
【０００８】
そこで、この発明の目的は、ハッチ開口部内に確保しなければならない降下空間の大きさが、巻取り装置により狭くなる問題を解消し、ハッチ開口部の奥行きを従来よりも小さくできるとともに、巻取り装置のハンドル操作を、不安定な姿勢にならずに安全に行える避難梯子用ハッチを提供することである。
【課題を解決するための手段】
【０００９】
第１の発明は、避難ハッチのハッチ本体枠１４に、その上部開口面を開閉する上蓋１０と、この上蓋１０の開閉に連動して開閉する下蓋１１とを、それそれぞれ回動可能に取り付けるとともに、このハッチ本体枠１４の内側に梯子１２の基端部を回動可能に支持し、梯子１２に連結されたワイヤー１７を巻取り装置で巻き上げたり引き出すことにより、梯子１２を収縮させてハッチ本体枠内に格納したり、伸長させてハッチ本体枠より降下させる避難梯子用ハッチにおいて、上記上蓋１０に、その開閉に連動してレール１９，２０に沿って摺動する摺動台２１を装着し、この摺動台２１に上記巻取り装置１８を取り付けたことを特徴とする。
【００１０】
その好ましい形態である第２の発明は、摺動台２１とハッチ本体枠１４とを、これらに両端部を回動自在としたリンク２２，２３により連結するとともに、ハッチ本体枠１４の内側にワイヤー１７を案内するワイヤー案内部３０を設けたものである。
その好ましい形態である第３の発明は、摺動台２１とハッチ本体枠１４とを連結するリンク２２，２３を、ハッチ本体枠１４に対し、梯子１２の基端部の回動中心Ｏ１より上位置において支持するとともに、ワイヤー案内部３０に、上記ハッチ本体に設けたリンク２２，２３の回動中心Ｏ２と同じ高さでワイヤー１７を案内する上案内部３０ａと、梯子１２の基端部の回動中心Ｏ１と同じ高さでワイヤー１７を案内する下案内部３０ｂとを設けたものである。
【００１１】
第４の発明は、摺動台を上蓋に装着する場合の装着構造を特徴とし、レール１９，２０を上蓋１０の下面に平行に設けて、摺動台２１の両端部２１ｄ，２１ｅを摺動自在に案内し、その平行なレール１９，２０のうち、一方のレール２０は、その一端部を上蓋１０の下面に回動可能に支持する一方、その他端部を上蓋１０の下面に着脱可能に固定することにより、上蓋１０の下面との間に、摺動台２１の端部２１ｅを挟んで案内する案内間隙２９を形成するようにしたものである。
【発明の効果】
【００１２】
第１の発明によると、巻取り装置を摺動台により上蓋に装着したので、巻取り装置をハッチ本体枠の内側に装着していた従来と比べて、巻取り装置の占有部分だけハッチ本体枠内の降下空間を広くできる。言い換えれば、巻取り装置の占有分だけハッチ本体枠の奥行きを小さくすることができる。したがって、奥行きの狭いバルコニーなどにもハッチを設置可能となる。
ところで、巻取り装置を仮に上蓋の定位置に固定すると、梯子の基端部を支持した回動中心から巻取り装置までの距離が、上蓋の開閉にしたがい変動するため、上蓋の開閉によりワイヤーが持ち上げられたり、引き下ろされたり、上蓋を閉じたりしたときワイヤーが弛んで、次のような問題が生ずる。
（１）梯子を収縮させて格納する際に、梯子の長さが長くなってしまい、下蓋が最終まで閉まらなくなる。
（２）梯子の長さが長くなると、その一部が下蓋よりはみ出す。
（３）下蓋は上蓋と連動して開閉するので、下蓋が最終まで閉まらなくなると、上蓋も同様となる。
（４）上蓋および下蓋を無理やり閉めると、それらが変形してしまう。
しかし、第１の発明では、上蓋の開閉に連動してレールに沿って摺動する摺動台に巻取り装置を取り付けたので、梯子の基端部の回動中心から巻取り装置までの距離が、上蓋の開閉にしたがい変動することはなく、従って、上蓋を閉じたときにワイヤーが弛むことがないので、上記のような問題は生じない。
【００１３】
第２の発明によると、摺動台とハッチ本体枠とを、これらに両端部を回動自在としたリンクにより連結して、梯子の基端部の回動中心から巻取り装置までの距離が、リンクにより一定になるようにするとともに、ハッチ本体枠の内側に設けたワイヤー案内部にてワイヤーを案内するので、上蓋の開閉にしたがい巻取り装置が摺動台と共に摺動する構造であっても、その摺動およびワイヤーの移動をスムーズに行いながら、ワイヤーが弛むことによる上記の問題を回避できる。
第３の発明によると、摺動台とハッチ本体枠とを連結するリンクを、ハッチ本体枠に対し、梯子の基端部の回動中心より上位置において支持したので、上蓋の開閉に伴う摺動台の摺動距離（巻取り装置の摺動距離）を短くできるとともに、ワイヤーを、リンクの回動中心と同じ高さと、梯子の基端部の回動中心と同じ高さの上下２点で案内するので、ワイヤーは梯子側でも弛みを生じない。
【００１４】
第４の発明によると、摺動台の両側縁を案内する平行なレールのうちの一方のレールを、上蓋の下面に回動可能にしてその一端を支持し、その支持側とは反対の他端部を、上蓋の下面に止め部品で着脱可能に固定することにより、このレールが、上蓋の下面との間に、摺動台の端部を挟んで案内する案内間隙を形成するようにしたので、摺動台を平行なレールにより上蓋の下面に装着するにあたり、その装着を簡単に行える。
【発明を実施するための最良の形態】
【００１５】
次に、この発明の好ましい実施形態を図面に基づいて詳細に説明する。
図１はその斜視図で、上蓋１０および下蓋１１を開き、梯子１２を降下させた状態である。
【００１６】
上蓋１０と下蓋１１は、ハッチ開口部１３を形成するハッチ本体枠１４の一側部１４ａにそれぞれ回動自在に取り付けられているとともに、左右両側のリンク機構１５Ａ，１５Ｂにて互いに連結され、連動して開閉する。これらリンク機構１５Ａ，１５Ｂは、上蓋１０と下蓋１１とを開いたとき、これらを垂直な状態に保持する公知の構造であり、ここでは詳細な説明は省略するが、例えば、特許文献３に記載されているものがある。
【００１７】
梯子１２は、その本体であるパイプ状または棒状の左右の両側枠１２ａ，１２ｂに、パンタグラフ構造やテレスコープ構造などによる従来公知の伸縮機構１２ｃ（図２参照）を組み込んだもので、その両側枠１２ａ，１２ｂの基端部（上端部）は、ハッチ本体枠１４の一側部１４ａの内側に次のように支持されている。
ハッチ本体枠１４の一側部１４ａの内面には、横長の取付台板１６が固着され、その左右両端に設けられた断面コ字形の支持部１６ａ，１６ｂに、梯子１２の両側枠１２ａ，１２ｂの基端部（上端部）が支持され、両側枠１２ａ，１２ｂは、鎖線にして示す回動中心Ｏ１において回動自在となっている。
【００１８】
一方、梯子１２の伸縮機構１２ｃは、これに連結されたワイヤー１７を巻取り装置１８にて巻き上げたり、引き出したりすることにより伸縮されるが、巻取り装置１８は、ハッチ本体枠１４ではなく、次のように上蓋１０に装着されている。
【００１９】
上蓋１０の下面には、左側の固定側レール１９と右側の可動側レール２０とが平行に設けられ、これらレール１９，２０に沿って摺動するように摺動台２１が上蓋１０の下面に装着されている。この摺動台２１は、横長の板材の両側を同じ方向に直角に折曲するとともに、さらにその両端部を互いに反対側（外側）へ直角に折曲して成形したもので、図４および図５に左右分けて示すように、中央台部２１ａと、左右両側の対向する側壁部２１ｂ，２１ｃと、その先端で互いに外側に向く左右の両端部２１ｄ，２１ｅとを有する。
【００２０】
固定側レール１９および回動側レール２０は、上蓋１０の下面との間に、摺動台２１の両端部２１ｄ，２１ｅを挟んで案内する僅かな案内間隙を形成している。また、摺動台２１の中央台部２１ａは、その両側の側壁部２１ｂ，２１ｃにより、上蓋１０の下面との間に所定の間隔を有している。そして、この中央台部２１ａの中央に巻取り装置１８が取り付けられている。
したがって、巻取り装置１８は、摺動台２１と共に、上蓋１０の下面に設けられた平行なレール１９，２０に沿って摺動可能となっている。
【００２１】
摺動台２１は、上蓋１０の開閉に連動して摺動するように、平行なリンク２２，２３にてハッチ本体枠１４の一側部１４ａと次のように連結されている。
平行なリンク２２，２３は、その一端部を上記取付台板１６の両端の支持部１６ａ，１６ｂに、他端部を摺動台２１の両側の壁部２１ｂ，２１ｃの外面に、それぞれビス等で支持することにより、ハッチ本体枠１４側の支持部１６ａ，１６ｂと摺動台２１とのそれぞれに対して、回動自在となっている。なお、上記リンク２２，２３は、その他端部を上記摺動台２１の壁部２１ｂ，２１ｃの外面に取り付けているが、上記壁部２１ｂ，２１ｃの内面に取り付けてもよい。
そして、上記リンク２２，２３の両方の回動中心を鎖線にしてＯ２およびＯ３とすると、ハッチ本体枠１４側の支持部１６ａ，１６ｂに対するリンク２２，２３の回動中心Ｏ２は、梯子１２の両側枠１２ａ，１２ｂに対する回動中心Ｏ１よりも、距離Ｌ１だけ上方に位置している。
【００２２】
この回動中心Ｏ２と摺動台２１に対する回動中心Ｏ３との間の距離Ｌ２は、リンク２２，２３が回動しても変わらないため、摺動台２１が摺動しても、梯子１２の両側枠１２ａ，１２ｂの回動中心Ｏ１から回動中心Ｏ３までの距離Ｌ１＋Ｌ２は不変である。
【００２３】
したがって、上蓋１０が開閉すると、巻取り装置１８は、摺動台２１と共に上蓋１０に対して摺動するが、回動中心Ｏ１から回動中心Ｏ３までの距離Ｌ１＋Ｌ２が不変であるため、梯子１２の両側枠１２ａ，１２ｂの回動中心Ｏ１から見ると、巻取り装置１８は常に一定の距離Ｌ１＋Ｌ２を保つことになる。
【００２４】
固定側レール１９は、図４に示すように、縦長の板材の２箇所を中心線と平行に直角に折曲して断面Ｚ状とすることにより、固定部１９ａと案内部１９ｂとを形成したもので、固定部１９ａをビス等で上蓋１０の下面に固着することにより、案内部１９と上蓋１０の下面との間に、摺動台２１の左側の端部２１ｄを挟んで摺動自在に案内する案内間隙２４を形成している。
【００２５】
一方、可動側レール２０は、図５に示すように単なる縦長の板材で、上蓋１０の下面に所定の距離をもって固着された一対の取付片２５，２６にて両端部を支持されるが、次のように回動可能にしている。
可動側レール２０の一端部（図５で見ると下端部）は、上蓋１０の下面に固定部２５ａを固着された一方の取付片２５のレール支持部２５ｂにビス２７にて回動可能に支持されているので、可動側レール２０は、上蓋１０の下面と平行な方向に回動できる。しかし、可動側レール２０の他端部（図５で見ると上端部）は、他方の取付片２６に対しては着脱可能で、その他端部を、上蓋１０の下面に固定部２６ａを固着された他方の取付片２６のレール支持部２６ｂにビス２８にて固定すると、可動側レール２０は、固定側レール１９と平行となるように上蓋１０の下面に対して固定される。
【００２６】
両方の取付片２５，２６は、板片の２箇所を直角に折曲して断面Ｚ状とすることにより、固定部２５ａ，２６ａとレール支持部２５ｂ，２６ｂとを形成したものであるため、それらのレール支持部２５ｂ，２６ｂに可動側レール２０の両端部を上記のように支持すると、可動側レール２０と上蓋１０の下面との間に、摺動台２１の右側の端部２１ｅを挟んで摺動自在に案内する案内間隙２９が形成される。
【００２７】
そこで、摺動台２１を上蓋１０の下面に装着する際には、その左側の端部２１ｄを固定側レール１９による案内間隙２４に挿入しておいてから、まだ取付片２６のレール支持部２６ｂに固定していない可動側レール２０を回動させ、この可動側レール２０と上蓋１０の下面とで摺動台２１の右側の端部２１ｅを挟んだ状態として、可動側レール２０を取付片２６のレール支持部２６ｂにビス２８で固定する。
これにより、摺動台２１は、その両側の端部２１ｄ，２１ｅを平行な固定側レール１９と可動側レール２０とで案内されて、上蓋１０の下面に対し摺動可能となる。
なお、ビス２７，２８に代えて他の止め部品を用いてもよい。
【００２８】
巻取り装置１８は、上記のように開閉する上蓋１０に装着され、しかも、摺動台２１と共に摺動するため、ワイヤー１７を案内する必要がある。
そこで、ワイヤー１７をハッチ本体枠１４の一側部１４ａ上で案内するため、この一側部１４ａに固着された上記取付台板１６の中央部にワイヤー案内部３０が設けられている。このワイヤー案内部３０は、取付台板１６の中央部に固着された断面コ字形の台板３１の両側壁に、その上下二箇所においてピンを貫設することにより、上側のピンによる上案内部３０ａと下側のピンによる下案内部３０ｂとを形成したものである。
【００２９】
これら上案内部３０ａと下案内部３０ｂのそれぞれ高さは、上記のように距離Ｌ１だけ離れた２つの回動中心Ｏ２とＯ１の高さにそれぞれ合わせてある。
すなわち、上案内部３０ａは、ハッチ本体枠１４側の支持部１６ａ，１６ｂに対するリンク２２，２３の回動中心Ｏ２と同じ高さになっているのに対し、下案内部３０ｂは、梯子１２の両側枠１２ａ，１２ｂの回動中心Ｏ１と同じ高さになっている。
【００３０】
したがって、ワイヤー１７は、巻取り装置１８に向かっては、回動中心Ｏ２と同じ高さの上案内部３０ａで案内されてこれを支点として上蓋１０の回動に従動し、また、梯子１２に向かっては、回動中心Ｏ１と同じ高さの下案内部３０ｂで案内されてこれを支点として梯子１２の両側枠１２ａ，１２ｂの回動に従動することなる。
【００３１】
そのため、巻取り装置１８が、上蓋１０の開閉によりこれと一体に移動しながら、摺動台２１と共に上蓋１０に対して摺動しても、ワイヤー１７は弛むことはなく、図１および図２に示すように、上蓋１０を下蓋１１と共に開いて梯子１２の両側枠１２ａ，１２ｂを降下させても、ワイヤー１７は、上案内部３０ａから巻取り装置１８までの長さ部分と、下案内部３０ｂから梯子１２の伸縮機構までの長さ部分の両方において、緊張状態を維持する。
【００３２】
上蓋１０と下蓋１１を図１および図２に示すように開いた状態において、巻取り装置１８のロック用レバー３２を操作して巻取り装置１８をロック解除すると、図２に示した梯子１２の伸縮機構１２ｃはその自重により自動的に伸長する。そのロック解除操作の際、および、巻取り装置１８にてワイヤー１７の巻き上げ操作を行う際、巻取り装置１８は、ハッチ本体枠１４によるハッチ開口部１３よりも上方に位置しているので、従来のような不安定な姿勢にならずに操作できるため、操作しやすいとともに、安全である。
【００３３】
また、巻取り装置１８は、ハッチ本体枠１４の内側ではなく上蓋１０に装着され、ハッチ本体枠１４の一側部１４ａの中央にはワイヤー案内部３０が設けられているものの、ワイヤー案内部３０の厚みは巻取り装置１８の厚みに比べてはるかに小さいため、ハッチ本体枠１４の奥行きを従来のものより小さくしても、規定の大きさを満たす降下空間を確保できる。
【００３４】
一例を示すと、図３に示すように、ハッチ本体枠１４によるハッチ開口部１３の奥行きが最低５２０ｍｍあれば、ワイヤー案内部３０に円が接する降下空間の直径を５００ｍｍとすることができる。
【図面の簡単な説明】
【００３５】
【図１】上蓋および下蓋を開いた状態で示すこの発明の実施形態の斜視図である。
【図２】実施形態の正面図である。
【図３】実施形態の平面図である。
【図４】この実施形態の一部分であって、摺動台とこれを案内する固定側レールとの関係を示す斜視図である。
【図５】実施形態の摺動台と可動側レールとの関係を示す斜視図である。
【図６】上蓋および下蓋を開いた状態で示す従来例の避難梯子用ハッチの斜視図である。
【図７】従来例の正面図である。
【図８】従来例の平面図である。
【符号の説明】
【００３６】
１０  上蓋
１１  下蓋
１２  梯子
１３  ハッチ開口部
１４  ハッチ本体枠
１７  ワイヤー
１８  巻取り装置
１９，２０  レール
２１  摺動台
２１ｄ，２１ｅ  摺動台の両端部
２２，２３  リンク
２４，２９  案内間隙
３０  ワイヤー案内部
３０ａ  上案内部
３０ｂ  下案内部
Ｏ１  梯子の回動中心
Ｏ２  ハッチ本体枠に対するリンクの回動中心
Ｏ３  摺動台に対するリンクの回動中心
【図１】
2010022684.tif 000003
【図２】
2010022684.tif 000004
【図３】
2010022684.tif 000005
【図４】
2010022684.tif 000006
【図５】
2010022684.tif 000007
【図６】
2010022684.tif 000008
【図７】
2010022684.tif 000009
【図８】
2010022684.tif 000010